(57)【特許請求の範囲】
【請求項１】
生理用ナプキンの個袋が、該個袋をその最外側において横断する該個袋用シート材料の端縁部と、該端縁部と前記ナプキンとの間に位置する前記シート材料との間で開口を形成し、該開口が、前記端縁部から前記横断方向と交叉する方向へ延出する粘着性テープによって開封可能に封止され、前記粘着性テープが、前記端縁部に固着された固定端部と、前記端縁部から延出する非粘着性の摘持用端部と、前記固定端部と前記摘持用端部との間に位置する中間部とを有する個袋入り生理用ナプキンにおいて、
前記粘着性テープは、伸縮性の第１テープと、内表面に粘着剤が塗布されて後端部が前記第１テープの前端部に固着された非伸縮性の第２テープとから構成され、
前記粘着性テープでは、前記第１テープの後端部が前記シート材料の端縁部に固着されて前記固定端部を形成し、前記第２テープの前端部が内側に折り重ねられて前記摘持用端部を形成するとともに、前記第１テープの前端部および中央部と前記第２テープの後端部とが前記中間部を形成し、
前記中間部は、前記第１テープの前端部および前記第２テープの後端部から形成されて前記粘着剤が露出する非伸縮性の粘着域と、前記第１テープの中央部から形成された伸縮域とを有することを特徴とする前記ナプキン。
【請求項２】
生理用ナプキンの個袋が、該個袋をその最外側において横断する該個袋用シート材料の端縁部と、該端縁部と前記ナプキンとの間に位置する前記シート材料との間で開口を形成し、該開口が、前記端縁部から前記横断方向と交叉する方向へ延出する粘着性テープによって開封可能に封止され、前記粘着性テープが、前記端縁部に固着された固定端部と、前記端縁部から延出する非粘着性の摘持用端部と、前記固定端部と前記摘持用端部との間に位置する中間部とを有する個袋入り生理用ナプキンにおいて、
前記粘着性テープは、伸縮性の第１テープと、内表面に粘着剤が塗布されて後端部が前記第１テープの前端部に固着された非伸縮性の第２テープと、前端部が前記第１テープの後端部に固着された非伸縮性の第３テープとから構成され、
前記粘着性テープでは、前記第３テープの後端部が前記シート材料の端縁部に固着されて前記固定端部を形成し、前記第２テープの前端部が内側に折り重ねられて前記摘持用端部を形成するとともに、前記第１テープと前記第２テープの後端部とが前記中間部を形成し、
前記中間部は、前記第１テープの前端部および前記第２テープの後端部から形成されて前記粘着剤が露出する非伸縮性の粘着域と、前記第１テープの前後端部間に延びる中央部から形成された伸縮域とを有することを特徴とする前記ナプキン。
【発明の詳細な説明】
【０００１】
【発明の属する技術分野】
この発明は、個袋を廃棄処理用の手段として利用することができる個袋入り生理用ナプキンに関する。
【０００２】
【従来の技術】
特表平７−５００９９７号公報に開示された個袋入り生理用ナプキンでは、個袋が粘着性テープで封止されており、その個袋が使用後のナプキンを廃棄するときの包装手段として利用されている。そのナプキンを包装するために個袋は、そのままで使用することもできるし、袋を切り開いて得られる一枚のシートとして使用することもできる。
【０００３】
【発明が解決しようとする課題】
前記公知の個袋入り生理用ナプキンにおいては、個袋を利用して使用後のナプキンを包装するときに、個袋またはそれから得られるシートでナプキンを包み、包んだ後には、口が開くことがないように粘着テープで閉じておかなければならない。しかしながら、そのような包装体は、時間の経過とともに径が細り、少しずつ口が開いて臭気や汚物の漏れを生じることがある。
【０００４】
そこで、この発明は、個袋を利用して得られる使用後のナプキンの包装体が容易に口を開くことがないようにすることを課題にしている。
【０００５】
前記課題を解決するためにこの発明が前提とするのは、生理用ナプキンの個袋が、該個袋をその最外側において横断する該個袋用シート材料の端縁部と、該端縁部と前記ナプキンとの間に位置する前記シート材料との間で開口を形成し、該開口が、前記端縁部から前記横断方向と交叉する方向へ延出する粘着性テープによって開封可能に封止され、前記粘着性テープが、前記端縁部に固着された固定端部と、前記端縁部から延出する非粘着性の摘持用端部と、前記固定端部と前記摘持用端部との間に位置する中間部とを有する個袋入り生理用ナプキンである。
【０００６】
かかる前提におけるこの発明の第１の特徴として、前記粘着性テープは、伸縮性の第１テープと、内表面に粘着剤が塗布されて後端部が前記第１テープの前端部に固着された非伸縮性の第２テープとから構成され、前記粘着性テープでは、前記第１テープの後端部が前記シート材料の端縁部に固着されて前記固定端部を形成し、前記第２テープの前端部が内側に折り重ねられて前記摘持用端部を形成するとともに、前記第１テープの前端部および中央部と前記第２テープの後端部とが前記中間部を形成し、前記中間部は、前記第１テープの前端部および前記第２テープの後端部から形成されて前記粘着剤が露出する非伸縮性の粘着域と、前記第１テープの中央部から形成された伸縮域とを有することにある。
【０００７】
かかる前提におけるこの発明の第２の特徴として、前記粘着性テープは、伸縮性の第１テープと、内表面に粘着剤が塗布されて後端部が前記第１テープの前端部に固着された非伸縮性の第２テープと、前端部が前記第１テープの後端部に固着された非伸縮性の第３テープとから構成され、前記粘着性テープでは、前記第３テープの後端部が前記シート材料の端縁部に固着されて前記固定端部を形成し、前記第２テープの前端部が内側に折り重ねられて前記摘持用端部を形成するとともに、前記第１テープと前記第２テープの後端部とが前記中間部を形成し、前記中間部は、前記第１テープの前端部および前記第２テープの後端部から形成されて前記粘着剤が露出する非伸縮性の粘着域と、前記第１テープの前後端部間に延びる中央部から形成された伸縮域とを有することにある。
【０００８】
【発明の実施の形態】
添付の図面を参照し、この発明に係る個袋入り生理用ナプキンの詳細を説明すると、以下のとおりである。説明において、固着というときは、当接するものどうしが実質的に剥離不能な状態にあることを意味し、接着というときは、接着剤または粘着剤を介して当接するものどうしが剥離可能な状態にあるか、または実質的に剥離不能な状態にあることを意味している。
【０００９】
図１に斜視図で示された個袋入り生理用ナプキン１は、個袋２と仮想線で示された生理用ナプキン３とによって構成されている。個袋２は、矩形のポリエチレンフィルムからなり、フィルムの両端縁部７が互いに重なるように長手方向で三つ折りにされ、そのときに重なり合うそれぞれの側縁部６にヒートシールが施されている。重なり合う端縁部７には、粘着性テープ８によって開封可能に封が施されている。ナプキン３は、肌当接面を内側にして長手方向に三つに折り重ねされて個袋２に納められている。ナプキン３を取り出すには、テープ８による封を解き、側縁部６のヒートシールの一部または全部を剥がして個袋２を広げればよい。
【００１０】
図２は、図１のＩＩ−ＩＩ線要部端面図である。粘着性テープ８は、端縁部７Ａに固着された固定端部２０と、端縁部７Ａから延出する非粘着性の摘持用端部２４と、固定端部２０と摘持用端部２４との間に位置する中間部２２とを有する。個袋２において、重なり合う端縁部７のうちの上方に位置する端縁部７Ａでは、その外表面にテープ８の固定端部２０が接着剤９を介して固着されている。テープ８は、端縁部７Ａから個袋２を横断する方向へ延びる端縁１１と交叉して延出し、重なり合う端縁部７のうちの下方に位置する端縁部７Ｂの外表面に粘着剤２３を介して剥離可能に接着されている。
【００１１】
粘着性テープ８は、その延出方向へ弾性的に伸縮する伸縮性の第１テープ１６と、非伸縮性の第２テープ１７とから構成されている。第２テープ１７は、その後端部１７ｂの外表面が第１テープ１６の前端部１６ａの内表面に接着剤２１を介して固着されている。第２テープ１７の内表面には、粘着剤２３が塗布されている。テープ８では、第１テープ１６の後端部１６ｂが接着剤９を介して端縁部７Ａに固着されて固定端部２０を形成し、第２テープ１７の前端部１７ａが内側に折り重ねられて摘持用端部２４を形成するとともに、第１テープ１６の前端部１６ａおよび中央部１６ｃと第２テープ１７の後端部１７ｂとが中間部２２を形成している。第１テープ１６は、その前端部１６ａが第２テープ１７に固着されて伸縮性を失い、その後端部１６ｂが端縁部７Ａに固着されて伸縮性を失っている。第１テープ１６の中央部１６ｃは、いずれにも固着されることなく伸縮自在である。テープ８の中間部２２は、第１テープ１６の前端部１６ａおよび第２テープ１７の後端部１７ｂから形成されて粘着剤２３が露出する非伸縮性の粘着域２２ａと、第１テープ１６の中央部１６ｃから形成された伸縮域２２ｂとを有する。テープ８は、中間部２２の粘着剤２３が露出する粘着域２２ａが端縁部７Ｂに剥離可能に接着されている。このように構成されたテープ８は、摘持用端部２４が矢印Ａ方向へ引っ張られると、中間部２２が端縁部７Ｂから剥がれ、個袋３が開封状態となる。
【００１２】
図３は、個袋２を利用して丸められた使用後のナプキン３（図示せず）の斜視図である。ナプキン３は、空の個袋２に入れるか、または個袋２を形成していたフィルムに包んで小さく丸め、丸められたものは広がることがないように粘着性テープ８で止めておくことができる。そのときに、テープ８は、中間部２２の伸縮域２２ｂを長く延ばして図のように巻き付けておくことができる。テープ８は、中間部２２の伸縮域２２ｂが弾性的に伸縮するから、丸められたナプキンの包装体を放置しても簡単に緩むことがなく、臭気や汚物の漏洩を防止するうえで効果的である。
【００１３】
図４は、この発明の実施形態の他の一つを示す図２と同様の図面である。粘着性テープ８は、端縁部７Ａに固着された固定端部２０と、端縁部７Ａから延出する非粘着性の摘持用端部２４と、固定端部２０と摘持用端部２４との間に位置する中間部２２とを有する。テープ８は、その延出方向へ弾性的に伸縮する伸縮性の第１テープ１６と、非伸縮性の第２テープ１７と、非伸縮性の第３テープ２６とから構成されている。第２テープ１７の内表面には、粘着剤２７が塗布されている。第２テープ１７は、その後端部１７ｂの内表面が第１テープ１６の前端部１６ａの外表面に粘着剤２７を介して固着されている。第３テープ２６は、その内表面に接着剤９が塗布されている。第３テープ２６は、その前端部２６ａの内表面が第１テープ１６の後端部１６ｂの外表面に接着剤９を介して固着されている。テープ８では、第３テープ２６の後端部２６ｂが接着剤９を介して端縁部７Ａに固着されて固定端部２０を形成し、第２テープ１７の前端部１７ａが内側に折り重ねられて摘持用端部２４を形成するとともに、第１テープ１６と第２テープ１７の後端部１７ｂとが中間部２２を形成している。第１テープ１６は、その前端部１６ａが第２テープ１７に固着されて伸縮性を失い、その後端部１６ｂが第３テープ２６に固着されて伸縮性を失っている。第１テープ１６の前後端部１６ａ，１６ｂ間に延びる中央部１６ｃは、いずれにも固着されることなく伸縮自在である。テープ８の中間部２２は、第１テープ１６の前端部１６ａおよび第２テープ１７の後端部１７ｂから形成されて粘着剤２７が露出する非伸縮性の粘着域２２ａと、第１テープ１６の中央部１６ｃから形成された伸縮域２２ｂとを有する。テープ８は、中間部２２の粘着剤２７が露出する粘着域２２ａが端縁部７Ｂに剥離可能に接着されている。かかる剥離を可能にするために端縁部７Ｂの外表面に離型剤が塗布されることもある。
【００１４】
この発明において、粘着性テープ８は、それを形成する第１テープ１７の伸張率が３０〜１，５００％の範囲にある素材を使用することが好ましい。また、伸張率が前記範囲にあって、伸長後の弾性回復率が１０〜１００％の範囲にある弾性素材を使用することがより好ましい。テープ１６，１７，２６どうしやテープ１６，２６と個袋２とを固着するには、ホットメルト接着剤等の接着剤を使用する他、粘着剤を使用したり、熱溶融性の素材であれば溶着技術を利用したりすることができる。
【００１５】
【発明の効果】
この発明においては、生理用ナプキンの個袋を粘着性テープによって封止したから、使用後のナプキンはその個袋に入れ、粘着性テープを利用して丸めておくことができる。このテープは、伸縮性であるから、丸められたものが緩むことがないようにしっかりと巻き付けておくことができる。
【図面の簡単な説明】
【図１】個袋入り生理用ナプキンの斜視図。
【図２】図１のＩＩ−ＩＩ線要部端面図。
【図３】使用済みの生理用ナプキンの包装体の斜視図。
【図４】発明の一実施形態を示す図２と同様の図面。
【符号の説明】
１          個袋入り生理用ナプキン
２          個袋
３          生理用ナプキン
７Ａ          端縁部
７Ｂ          端縁部
８          粘着性テープ
９          接着剤
１６          第１テープ
１６ａ        前端部
１６ｂ        後端部
１６ｃ        中央部
１７          第２テープ
１７ａ        前端部
１７ｂ        後端部
２０          固定端部
２１          接着剤
２２          中間部
２２ａ        粘着域
２２ｂ        伸縮域
２３          粘着剤
２４          摘持用端部
２６          第３テープ
２６ａ        前端部
２６ｂ        後端部
２７          粘着剤
【図１】
0003549985.tif 000002
【図２】
0003549985.tif 000003
【図３】
0003549985.tif 000004
【図４】
0003549985.tif 000005